(57)【要約】【課題】ショートケーキ等を収納する内部と外部が通気しない携帯ケースである。【解決手段】携帯ケースは、上面体と右側面体と左側面体と正面体と裏面体と底面体で構成され、上面体を上上面体１０ａと上下表面体１０ｂの二重で構成して、上上面体１０ａに取っ手２０を形成するミシン目が設けてあり、取っ手２０を作成した跡には開口部６０が形成されるが、この開口部６０の下には上下表面体１０ｂによって外部と内部が連通することはない。【選択図】図１
2011098758.tif 000002
【特許請求の範囲】
【請求項１】
上面体と右側面体と左側面体と正面体と裏面体と底面体で構成される携帯ケースであって、
前記上面体を上上面体と上下表面体の二重で構成し、
前記上上面体に離脱可能な取っ手を設けることを特徴とする携帯ケース。
【請求項２】
上面体と右側面体と左側面体と正面体と裏面体と底面体で構成される携帯ケースを１枚の本体シートで形成されることを特徴とする請求項１の携帯ケース。
【請求項３】
前記右側面体の右稜部、前記左側面体の左稜部にノリ代体を突出形成されていることを特徴とする請求項１又は請求項２の携帯ケース。
【請求項４】
上上面体の右稜部と左稜部に係止体が各々形成され、
前記右側面体と左側面体に前記各係止体を係止する係止開口部が形成されていることを特徴とする請求項１から請求項３のいずれか１項の携帯ケース。
【請求項５】
１枚のシートには、上上面体と、その上上面体の下に裏面体と、この裏面体の下に底面体と、この底面体の右隣りに右側面体と、底面体の左隣りに左側面体と、  前記底面体の下に正面体と、この正面体の下に上下表面体とが各稜部を介して形成され、且つ、前記上上面体の右稜部と左稜部に係止体が各々形成されていると共に、前記右側面体と左側面体に前記各係止体を係止する係止開口部が形成されていて、更に、前記上上面体には離脱可能な取っ手が形成されていて、
前記各稜部で折り曲げ、上上面体を上下表面体の上に重ねて箱状とし、
前記各係止体を係止開口部で係止し、
前記上上面体から離脱させて取っ手を形成する携帯ケースの製作方法。
【発明の詳細な説明】
【技術分野】
【０００１】
本発明は、ショートケーキ等を収納する携帯ケースとその製作方法であり、特に、外部から内部にゴミ等の進入を防止することに関する。
【背景技術】
【０００２】
従来、ショートケーキ等を収納して持ち運ぶ携帯ケースは、図３に示すように、紙や合成樹脂製等の１枚のシートを、所定の稜部で折られて、上面体５０、左右側面体５１、５２、正面体５３、裏面体５５、底面体５４を有する箱状に形成されている。
そして、前記上面体５０において、取っ手２０を作成するに当って、予め、略コ字状の切込み部が、中心線を挟んで両側に形成してあり、それらの切込み部を上面体５０から離脱立設させて、取っ手２０が作成される。
この携帯ケース内には、例えば、ショートケーキが収納され、取っ手２０を持つことによって、安定した姿態で持ち帰ることができる。
尚、前記携帯ケースは良く知られた形状であるため引用文献を列挙しない。
【発明の概要】
【発明が解決しようとする課題】
【０００３】
前記の従来の携帯ケースは、切込み部を上面体５０から離脱させて取っ手２０を作成しているため、その切込み部の跡には開口部６０が形成される。
そのため、その開口部６０は外部と内部が導通しているので、その開口部６０からゴミ等が進入する恐れがあり、不衛生である。
又、前記開口部６０を塞ぐためにシール材を貼着してなる携帯ケースがあり、この場合にはシール材を貼着することが煩わしい。
そこで、本願発明は、かかる不都合を解消する携帯ケースを提供するものである。
【課題を解決するための手段】
【０００４】
請求項１の携帯ケースは、上面体と右側面体と左側面体と正面体と裏面体と底面体で構成されていると共に、前記上面体を上上面体と上下表面体の二重で構成して、上上面体には離脱できる取っ手が形成してある。
上上面体から取っ手を剥離した跡には、開口部が形成されるが、この開口部の下には上下表面体があるので、外部から内部に導通していないのでゴミ等の進入を防止できる。
【０００５】
又、請求項２の携帯ケースは、上面体と右側面体と左側面体と正面体と裏面体と底面体で構成される携帯ケースを１枚の本体シートで形成されることによって、簡便に製作できる。
又、請求項３の携帯ケースは、右側面体の右稜体、前記左側面体の左稜体にノリ代体を突出形成されていることによって、箱状にしたとき、各面体が内側に入るのを防止できる。
請求項４の携帯ケースは、上上面体の右稜体と左稜体に係止体が各々形成され、右側面体と左側面体に前記各係止体を係止する係止開口部が形成されていて、係止体と係止開口部とで、各稜体を熱シールや接着剤等で接合しなくても、箱状に組み立てることができる。
【０００６】
又、請求項５の発明は、携帯ケースを製作する方法であり、１枚のシートには、上上面体と、その上上面体の下に裏面体と、この裏面体の下に底面体と、この底面体の右隣りに右側面体と、底面体の左隣りに左側面体と、前記底面体の下に正面体と、この正面体の下に上下表面体とが各稜部を介して形成され、且つ、前記上上面体の右稜部と左稜部に係止体が各々形成されていると共に、前記右側面体と左側面体に前記各係止体を係止する係止開口部が形成されていて、更に、前記上上面体には離脱可能な取っ手が形成されている。
そこで、前記各稜部で折り曲げ、上上面体を上下表面体の上に重ねて箱状とし、前記各係止体を係止開口部で係止し、前記上上面体から離脱させて取っ手を形成して、携帯ケースが完成する。
【発明の効果】
【０００７】
本願発明の携帯ケースは、取っ手を作成しても、外部から内部にゴミの進入が防止されるので、衛生面において好ましいし、１枚のシートで製作することによって簡便にできる。
【図面の簡単な説明】
【０００８】
【図１】携帯ケースの斜視図である。
【図２】携帯ケースの展開図である。
【図３】従来の携帯ケースの斜視図である。
【発明を実施するための形態】
【０００９】
本願発明の携帯ケースについて、斜視図を示す図１、展開図を示す図２を参照して説明する。
この携帯ケースは、ほぼ立方体（直方体であってもよい）であり、上上面体１０ａ、上下表面体１０ｂ、右側面体１１、左側面体１２、正面体１３、裏面体１５、底面体１４で構成されている。
前記上上面体１０ａには、一対の略コ字状の取っ手２０が離脱可能に形成されているので、上上面体１０ａから離脱させた後に、垂直に立設させることによって、一対の略コ字状の取っ手２０が形成される。
尚、前記取っ手２０は、上上面体１０ａから離脱可能に形成されていて、その離脱可能な形成方法として、ミシン目を作成したり、スリット等を作成して構成する。
【００１０】
この携帯ケースは、紙やブラスチックシート等で形成されていて、図２に示す展開図を用いて形成される。
１枚の紙やブラスチックシートを箱形状に合わせて、この展開図では、ほぼ立方体であるので正方形状に、上上面体１０ａ、上下表面体１０ｂ、右側面体１１、左側面体１２、正面体１３、裏面体１５、底面体１４を、下記する配置で１枚の本体シートとして作成する。
この本体シートは、上上面体１０ａの下には裏面体１５が、この裏面体１５の下には底面体１４が、この底面体１４の右隣りには右側面体１１が、底面体１４の左隣りには左側面体１２がそれぞれ形成してある。又、前記底面体１４の下には正面体１３が、この正面体１３の下には上下表面体１０ｂが形成してあり、前記各体と各体とは稜部（境界部）１８となり、この稜部１８は容易に折ることができるように作成してある。
尚、本体シートは、紙やブラスチックシート等の材質で作成され、それらの材質は必ずしも透明である必要はない。
【００１１】
又、前記上上面体１０ａには、離脱可能な略コ字状に、中心線に相対して一対の取っ手２０が形成されている。又、この上上面体１０ａの右稜部と左稜部には、後述する右側面体１１と左側面体１２に形成の４角状の係止開口部２２ａ、２２ｂに装着して固定する十字状の係止体２３ａ、２３ｂが形成されている。即ち、前記係止体２３ａ、２３ｂの形状は、基体３１ａから前突起体３１ｂ、左右突起体３１ｃ、３１ｄで十字状に形成してある。
前記裏面体１５の右稜部と左稜部には、ノリ代体１９ａ、１９ａが突出して形成されている一方、前記右側面体１１の右稜部、前記左側面体１２の左稜部にも、それぞれ、ノリ代体１９ｂ、１９ｂが突出して形成されている。
更に、前記正面体１３の右稜部と左稜部にも、ノリ代体１９ｃ、１９ｃが突出して形成されている。
尚、前記各ノリ代体１９ａ〜１９ｃと本体の接合箇所の稜部１８は、容易に折ることができるように作成してある。
【００１２】
尚、前記各面体は、１枚のシートを図２に示す展開図に基づいて、金型又は木型の打ち抜き等によって作成される。又、前記ノリ代体１９ａ〜１９ｃの突出幅は、各稜部１８で、箱状に組み立てた後に、内部と外部とが連通しない程度の重なり幅であると共に、各面体が内側に曲がることがない程度の幅である。
又、前記各面体の形状は、立方体の箱になるように正方形状であるが、直方体状にするときには、その形状に合わせて展開図を作成することはいうまでもない。
【００１３】
次に、前記１枚の本体シートは、下記の手順で箱状に組み立てられる。
（１）先ず、上上面体１０ａ、裏面体１５、底面体１４、正面体１３、上下表面体１０ｂの各稜部を、取っ手２０が外側になるように内側に折る。
（２）次に、裏面体１５の右稜部と左稜部に形成のノリ代体１９ａ、１９ａを内側に折る。
（３）又、前記正面体１３の右稜部と左稜部に形成のノリ代体１９ｃ、１９ｃを内側に折る。
（４）又、右側面体１１の右稜部、前記左側面体１２の左稜部に形成のノリ代体１９ｂ、１９ｂを内側に折る。
尚、前記各ノリ代体１９ａ〜１９ｃは、各面（１０〜１５）が内側に入り込むのを防止すると共に、稜部１８における隙間形成を防止して、外部から内部げのゴミ等の進入を防止するために設けてある。
【００１４】
（５）そして、上下表面体１０ｂを、右側面体１１の右稜部、前記左側面体１２の左稜部に形成のノリ代体１９ｂ、１９ｂの上に重ねる。このとき、上下表面体１０ｂは、前記ノリ代体１９ｂ、１９ｂに載置するので、内側に垂れ下がることがない。
（６）次に、上下表面体１０ｂの上に、上上面体１０ａを重ねる。即ち、表面体は、上上面体１０ａと上下表面体１０ｂの二重にする。
（７）そして、上上面体１０ａの右稜部に形成の係止体２３ａは、右側面体１１に形成の係止開口部２２ａに装着する。
（８）上上面体１０ａの左稜部に形成の係止体２３ｂを、左側面体１２に形成の係止開口部２２ｂに装着する。
尚、前記係止体２３ａ、２３ｂを係止開口部２２ａ、２２ｂに装着することは、左右突起体３１ｃ、３１ｄを係止開口部２２ａ、２２ｂの内部に挿入し、基体３１ａと前突起体３１ｂを外側にすることであり、基体３１ａが左右動しない状態になる。
又、前記前突起体３１ｂを外側にするのは、係止体２３ａを簡便に取外しできるし、前突起体３１ｂを内部に挿入すると、係止体２３ａを内部に押すと、係止開口部２２ａが外部と内部が挿通状態になるからである。
【００１５】
以上の組み立て操作によって、携帯ケースは、各稜部１８における隙間がノリ代体１９ａ〜１９ｃによって塞がれ、係止体２３ａ、２３ｂが係止開口部２２ａ、２２ｂに装着されることによって箱状に組み立てられる。
即ち、図２に示す１枚のシートによって、各稜部を熱シールや接着剤等で接合しなくても、係止体２３ａ、２３ｂと係止開口部２２ａ、２２ｂとで箱状に組み立てることができる。
【００１６】
（９）次に、上上面体１０ａに形成の略コ字状の一対の取っ手２０を離脱させ、折り目を作成して垂直に立設させる。
これによって、一対の取っ手２０が形成されると共に、その一対の取っ手２０が離脱された上上面体１０ａには開口部６０が形成される。しかし、この開口部６０の下には、上下表面体１０ｂがあるので、外部から内部にゴミ等の進入が防止される。
【００１７】
尚、前記係止体２３ａ、２３ｂの形状は、基体３１ａから前突起体３１ｂ、左右突起体３１ｃ、３１ｄで十字状に形成してあるが、基体３１ａから左右突起体３１ｃ、３１ｄのＴ字状に、或いは、更の簡便に、基体３１ａから前突起体３１ｂのＩ字状に、又、基体３１ａから前突起体３１ｂ、左右突起体３１ｃ、３１ｄの何れかのＬ字状に形成したものでもよい。
又、係止開口部２２ａ、２２ｂの形状は、前記係止体２３ａ、２３ｂの形状を考慮して選定するが、四角状の他、三角形状等、種々の形状であってもよいし、更には、単にスリットで構成してもよい。
以上のように、前記係止体２３ａ、２３ｂの形状と係止開口部２２ａ、２２ｂの形状は、適宜組み合わせて用いることができる。
【符号の説明】
【００１８】
１０ａ  上上面体
１０ｂ  上下表面体
１１  右側面体
１２  左側面体
１３  正面体
１４  底面体
１５  裏面体
２０  取っ手
２２ａ、２２ｂ  係止開口部
２３ａ、２３ｂ  係止体
１９ａ〜１９ｃ  １９ａ〜１９ｃ
６０  開口部
【図１】
2011098758.tif 000003
【図２】
2011098758.tif 000004
【図３】
2011098758.tif 000005